(57)【特許請求の範囲】
【請求項１】
通信システムでチャネル品質表示（ＣＱＩ）を取得するための装置であって、
前記通信システムは、ユーザ機器（ＵＥ）と、一以上の基地局（ＢＳ）／ポイントを含む多地点協調（ＣｏＭＰ）測定セットと、前記ＣｏＭＰ測定セットの外部にある一以上の外部ＢＳ／ポイントとを含み、
前記ＵＥは、前記ＣｏＭＰ測定セット内部の供給ＢＳ／ポイントにより供給され、前記ＣｏＭＰ測定セット内部の少なくとも一つの干渉ＢＳ／ポイントと前記一以上の外部ＢＳ／ポイントとによって干渉され、
前記装置は、
前記ＣｏＭＰ測定セットの外部にある少なくとも一つの外部ＢＳ／ポイントから前記ＵＥへの第一の干渉を見積もるために構成された第一の見積り部と、
前記ＣｏＭＰ測定セット内部の少なくとも一つの干渉ＢＳ／ポイントから前記ＵＥへの第二の干渉を見積もるために構成された第二の見積り部と、
前記第一の干渉と前記第二の干渉とに基づいてターゲットＣＱＩを取得するために構成された取得部と、
を含み、
前記第一の見積り部は、
前記供給ＢＳ／ポイントから前記ＵＥへのチャネルのチャネル情報を測定するために構成された第三の測定手段と、
前記ＣｏＭＰ測定セット内部の前記少なくとも一つの干渉ＢＳ／ポイントに属する参照ＢＳ／ポイントから前記ＵＥへのチャネルの質を示すＣＱＩを獲得するために構成された第二の獲得手段と、
前記参照ＢＳ／ポイントの前記ＵＥへの送信電力と、前記供給ＢＳ／ポイントの前記ＵＥへの送信電力と、前記参照ＢＳ／ポイントの前記ＵＥへの伝送路損失と、前記供給ＢＳ／ポイントの前記ＵＥへの伝送路損失とを獲得するために構成された第三の獲得手段と、
前記測定されたチャネル情報と、前記獲得されたＣＱＩと、前記参照ＢＳ／ポイントの前記ＵＥへの前記送信電力と、前記供給ＢＳ／ポイントの前記ＵＥへの前記送信電力と、前記参照ＢＳ／ポイントの前記ＵＥへの前記伝送路損失と、前記供給ＢＳ／ポイントの前記ＵＥへの前記伝送路損失とに基づいて前記第一の干渉を見積もるために構成された第二の見積り手段と、
を含む装置。
【請求項２】
前記第三の測定手段は、
前記ＵＥからアップリンクサウンディング参照信号を受信するために構成された受信手段と、
前記アップリンクサウンディング参照信号に基づいて前記チャネル情報を測定するために構成された第二の測定手段と、
を含む請求項１に記載の装置。
【請求項３】
通信システムでチャネル品質表示（ＣＱＩ）を取得するための装置であって、
前記通信システムは、ユーザ機器（ＵＥ）と、一以上の基地局（ＢＳ）／ポイントを含む多地点協調（ＣｏＭＰ）測定セットと、前記ＣｏＭＰ測定セットの外部にある一以上の外部ＢＳ／ポイントとを含み、
前記ＵＥは、前記ＣｏＭＰ測定セット内部の供給ＢＳ／ポイントにより供給され、前記ＣｏＭＰ測定セット内部の少なくとも一つの干渉ＢＳ／ポイントと前記一以上の外部ＢＳ／ポイントとによって干渉され、
前記装置は、
前記ＣｏＭＰ測定セットの外部にある少なくとも一つの外部ＢＳ／ポイントから前記ＵＥへの第一の干渉を見積もるために構成された第一の見積り部と、
前記ＣｏＭＰ測定セット内部の少なくとも一つの干渉ＢＳ／ポイントから前記ＵＥへの第二の干渉を見積もるために構成された第二の見積り部と、
前記第一の干渉と前記第二の干渉とに基づいてターゲットＣＱＩを取得するために構成された取得部と、
を含み、
前記第二の見積り部は、
前記少なくとも一つの干渉ＢＳ／ポイントから前記ＵＥへの通信のビームフォーミングマトリクスを獲得するために構成された第四の獲得手段と、
前記ＣｏＭＰ測定セット内部のＢＳ／ポイントの前記ＵＥへの送信電力と、前記ＣｏＭＰ測定セット内部の前記ＢＳ／ポイントの前記ＵＥへの伝送路損失と、前記少なくとも一つの干渉ＢＳ／ポイントから前記ＵＥへのチャネルのチャネル情報とを獲得するために構成された第五の獲得手段と、
前記ＣｏＭＰ測定セット内部の前記ＢＳ／ポイントの前記ＵＥへの前記送信電力と、前記ＣｏＭＰ測定セット内部の前記ＢＳ／ポイントの前記ＵＥへの前記伝送路損失と、前記獲得されたビームフォーミングマトリクスと、前記獲得されたチャネル情報とに基づいて前記第二の干渉を見積もるために構成された第三の見積り手段と、
を含む装置。
【請求項４】
通信システムでチャネル品質表示（ＣＱＩ）を取得するための装置であって、
前記通信システムは、ユーザ機器（ＵＥ）と、一以上の基地局（ＢＳ）／ポイントを含む多地点協調（ＣｏＭＰ）測定セットと、前記ＣｏＭＰ測定セットの外部にある一以上の外部ＢＳ／ポイントとを含み、
前記ＵＥは、前記ＣｏＭＰ測定セット内部の供給ＢＳ／ポイントにより供給され、前記ＣｏＭＰ測定セット内部の少なくとも一つの干渉ＢＳ／ポイントと前記一以上の外部ＢＳ／ポイントとによって干渉され、
前記装置は、
前記ＣｏＭＰ測定セットの外部にある少なくとも一つの外部ＢＳ／ポイントから前記ＵＥへの第一の干渉を見積もるために構成された第一の見積り部と、
前記ＣｏＭＰ測定セット内部の少なくとも一つの干渉ＢＳ／ポイントから前記ＵＥへの第二の干渉を見積もるために構成された第二の見積り部と、
前記第一の干渉と前記第二の干渉とに基づいてターゲットＣＱＩを取得するために構成された取得部と、
を含み、
前記取得部は、
前記供給ＢＳ／ポイントから前記ＵＥへのビームフォーミングゲインを計算するために構成された第一の計算手段と、
前記第一の干渉と、前記第二の干渉と、前記ビームフォーミングゲインとによって、前記供給ＢＳ／ポイントから前記ＵＥへのチャネルの質を計算するために構成された第二の計算手段と、
前記計算された質に基づいて前記ターゲットＣＱＩを取得するために構成された第一の取得手段と、
を含み、
前記第二の計算手段は、
前記少なくとも一つの干渉ＢＳ／ポイントによる前記ＵＥのスケジューリングに基づいて前記第二の干渉を更新するために構成された第一の更新手段と、
前記第一の干渉と、前記更新された第二の干渉と、前記ビームフォーミングゲインとによって、前記供給ＢＳ／ポイントから前記ＵＥへのチャネルの質を計算するために構成された第三の計算手段と、
を含み、
前記第一の更新手段は、
前記少なくとも一つの干渉ＢＳ／ポイントによる前記ＵＥのスケジューリングの情報を含むスケジューリング結果を取得するために構成された第二の取得手段と、
前記スケジューリング結果に基づいて前記少なくとも一つの干渉ＢＳ／ポイントから前記ＵＥへの通信のビームフォーミングマトリクスを獲得するために構成された第六の獲得手段と、
前記獲得されたビームフォーミングマトリクスと、前記少なくとも一つの干渉ＢＳ／ポイントから前記ＵＥへのチャネルのチャネル情報と、前記ＣｏＭＰ測定セット内部のＢＳ／ポイントの前記ＵＥへの送信電力と、前記ＣｏＭＰ測定セット内部の前記ＢＳ／ポイントの前記ＵＥへの伝送路損失とに基づいて第三の干渉を見積もるために構成された第四の見積り手段と、
前記第三の干渉で前記第二の干渉を更新するために構成された第二の更新手段と、
を含む装置。
【請求項５】
通信システムでチャネル品質表示（ＣＱＩ）を取得する方法であって、
前記通信システムは、ユーザ機器（ＵＥ）と、一以上の基地局（ＢＳ）／ポイントを含む多地点協調（ＣｏＭＰ）測定セットと、前記ＣｏＭＰ測定セットの外部にある一以上の外部ＢＳ／ポイントとを含み、
前記ＵＥは、前記ＣｏＭＰ測定セット内部の供給ＢＳ／ポイントにより供給され、前記ＣｏＭＰ測定セット内部の少なくとも一つの干渉ＢＳ／ポイントと前記一以上の外部ＢＳ／ポイントとによって干渉され、
前記方法は、
前記ＣｏＭＰ測定セットの外部にある少なくとも一つの外部ＢＳ／ポイントから前記ＵＥへの第一の干渉を見積もることと、
前記ＣｏＭＰ測定セット内部の少なくとも一つの干渉ＢＳ／ポイントから前記ＵＥへの第二の干渉を見積もることと、
前記第一の干渉と前記第二の干渉とに基づいてターゲットＣＱＩを取得することと、
を含み、
前記ＣｏＭＰ測定セットの外部にある少なくとも一つの外部ＢＳ／ポイントから前記ＵＥへの第一の干渉を見積もることは、
前記供給ＢＳ／ポイントから前記ＵＥへのチャネルのチャネル情報を測定することと、
前記ＣｏＭＰ測定セット内部の前記少なくとも一つの干渉ＢＳ／ポイントに属する参照ＢＳ／ポイントから前記ＵＥへのチャネルの質を示すＣＱＩを獲得することと、
前記参照ＢＳ／ポイントの前記ＵＥへの送信電力と、前記供給ＢＳ／ポイントの前記ＵＥへの送信電力と、前記参照ＢＳ／ポイントの前記ＵＥへの伝送路損失と、前記供給ＢＳ／ポイントの前記ＵＥへの伝送路損失とを獲得することと、
前記測定されたチャネル情報と、前記獲得されたＣＱＩと、前記参照ＢＳ／ポイントの前記ＵＥへの前記送信電力と、前記供給ＢＳ／ポイントの前記ＵＥへの前記送信電力と、前記参照ＢＳ／ポイントの前記ＵＥへの前記伝送路損失と、前記供給ＢＳ／ポイントの前記ＵＥへの前記伝送路損失とに基づいて前記第一の干渉を見積もることと、
を含む方法。
【請求項６】
通信システムでチャネル品質表示（ＣＱＩ）を取得する方法であって、
前記通信システムは、ユーザ機器（ＵＥ）と、一以上の基地局（ＢＳ）／ポイントを含む多地点協調（ＣｏＭＰ）測定セットと、前記ＣｏＭＰ測定セットの外部にある一以上の外部ＢＳ／ポイントとを含み、
前記ＵＥは、前記ＣｏＭＰ測定セット内部の供給ＢＳ／ポイントにより供給され、前記ＣｏＭＰ測定セット内部の少なくとも一つの干渉ＢＳ／ポイントと前記一以上の外部ＢＳ／ポイントとによって干渉され、
前記方法は、
前記ＣｏＭＰ測定セットの外部にある少なくとも一つの外部ＢＳ／ポイントから前記ＵＥへの第一の干渉を見積もることと、
前記ＣｏＭＰ測定セット内部の少なくとも一つの干渉ＢＳ／ポイントから前記ＵＥへの第二の干渉を見積もることと、
前記第一の干渉と前記第二の干渉とに基づいてターゲットＣＱＩを取得することと、
を含み、
前記ＣｏＭＰ測定セット内部の少なくとも一つの干渉ＢＳ／ポイントから前記ＵＥへの第二の干渉を見積もることは、
前記少なくとも一つの干渉ＢＳ／ポイントから前記ＵＥへの通信のビームフォーミングマトリクスを獲得することと、
前記ＣｏＭＰ測定セット内部のＢＳ／ポイントの前記ＵＥへの送信電力と、前記ＣｏＭＰ測定セット内部の前記ＢＳ／ポイントの前記ＵＥへの伝送路損失と、前記少なくとも一つの干渉ＢＳ／ポイントから前記ＵＥへのチャネルのチャネル情報とを獲得することと、
前記ＣｏＭＰ測定セット内部の前記ＢＳ／ポイントの前記ＵＥへの前記送信電力と、前記ＣｏＭＰ測定セット内部の前記ＢＳ／ポイントの前記ＵＥへの前記伝送路損失と、前記獲得されたビームフォーミングマトリクスと、前記獲得されたチャネル情報とに基づいて前記第二の干渉を見積もることと、
を含む方法。
【請求項７】
通信システムでチャネル品質表示（ＣＱＩ）を取得する方法であって、
前記通信システムは、ユーザ機器（ＵＥ）と、一以上の基地局（ＢＳ）／ポイントを含む多地点協調（ＣｏＭＰ）測定セットと、前記ＣｏＭＰ測定セットの外部にある一以上の外部ＢＳ／ポイントとを含み、
前記ＵＥは、前記ＣｏＭＰ測定セット内部の供給ＢＳ／ポイントにより供給され、前記ＣｏＭＰ測定セット内部の少なくとも一つの干渉ＢＳ／ポイントと前記一以上の外部ＢＳ／ポイントとによって干渉され、
前記方法は、
前記ＣｏＭＰ測定セットの外部にある少なくとも一つの外部ＢＳ／ポイントから前記ＵＥへの第一の干渉を見積もることと、
前記ＣｏＭＰ測定セット内部の少なくとも一つの干渉ＢＳ／ポイントから前記ＵＥへの第二の干渉を見積もることと、
前記第一の干渉と前記第二の干渉とに基づいてターゲットＣＱＩを取得することと、
を含み、
前記第一の干渉と前記第二の干渉とに基づいてターゲットＣＱＩを取得することは、
前記供給ＢＳ／ポイントから前記ＵＥへのビームフォーミングゲインを計算することと、
前記第一の干渉と、前記第二の干渉と、前記ビームフォーミングゲインとによって、前記供給ＢＳ／ポイントから前記ＵＥへのチャネルの質を計算することと、
前記計算された質に基づいて前記ターゲットＣＱＩを取得することと、
を含み、
前記第一の干渉と、前記第二の干渉と、前記ビームフォーミングゲインとによって、前記供給ＢＳ／ポイントから前記ＵＥへのチャネルの質を計算することは、
前記少なくとも一つの干渉ＢＳ／ポイントによる前記ＵＥのスケジューリングに基づいて前記第二の干渉を更新することと、
前記第一の干渉と、前記更新された第二の干渉と、前記ビームフォーミングゲインとによって、前記供給ＢＳ／ポイントから前記ＵＥへのチャネルの質を計算することと、
を含み、
前記少なくとも一つの干渉ＢＳ／ポイントによる前記ＵＥのスケジューリングに基づいて前記第二の干渉を更新することは、
前記少なくとも一つの干渉ＢＳ／ポイントによる前記ＵＥのスケジューリングの情報を含むスケジューリング結果を取得することと、
前記スケジューリング結果に基づいて前記少なくとも一つの干渉ＢＳ／ポイントから前記ＵＥへの通信のビームフォーミングマトリクスを獲得することと、
前記獲得されたビームフォーミングマトリクスと、前記少なくとも一つの干渉ＢＳ／ポイントから前記ＵＥへのチャネルのチャネル情報と、前記ＣｏＭＰ測定セット内部のＢＳ／ポイントの前記ＵＥへの送信電力と、前記ＣｏＭＰ測定セット内部の前記ＢＳ／ポイントの前記ＵＥへの伝送路損失とに基づいて第三の干渉を見積もることと、
前記第三の干渉で前記第二の干渉を更新することと、
を含む方法。
【発明の詳細な説明】
【技術分野】
【０００１】
本発明の実施形態は、概して通信技術に関する。とりわけ、本発明の実施形態は、チャネル品質表示を取得するための方法と装置に関する。
【背景技術】
【０００２】
３ＧＰＰ  ＬＴＥとＬＴＥ−Ａｄｖａｎｃｅｄ（ＬＴＥ−Ａ）は、次世代移動体通信基準の一つであり、新しく進化する無線アクセス技術のために新しいひとまとまりの仕様を創造している。セルラ通信システムでは、一般にセルの境界線でのユーザ機器（ＵＥ）は、弱い信号による他のセルからの信号干渉に悩まされる。そして、それによって、チャネル品質が劣化する。システム能力、瞬間的なピーク・データ速度、周波数スペクトル、セル端ユーザ・スループット、遅れ等でＬＴＥ／ＬＴＥ−Ａの必要条件を満たすために、セル端のＵＥのパフォーマンスを向上させるべく多地点協調（ＣｏＭＰ）技術が提案された。
【０００３】
ＣｏＭＰ技術では、協働セットを作るために、通常複数のＢＳ／ポイントが組み入れられ、動的ポイント選択（ＤＰＳ）でＵＥに供給するのに最適なポイントが選ばれる。この方法によって、相互セル干渉が減少する間は、ＵＥの受ける信号強度は改善される。
【０００４】
ＣｏＭＰでは、ＣＱＩ定義が大きな問題だ。３ＧＰＰ  ＲＡＮＩ♯６９の協定によれば、チャネル状態情報（ＣＳＩ）のチャネル部分と干渉部分の設定が存在した。しかし、ＣｏＭＰスキームがＤＰＳであれば、干渉が干渉測定リソース（ＩＭＲ）に基づいて測定されると、ＣＱＩミスマッチの問題が起きるだろう。
【０００５】
Ｒ１−１２１７４０「イントラＣｏＭＰクラスタ干渉を模倣したＵＥのＣＱＩ定義（ＣＱＩ  Ｄｅｆｉｎｉｔｉｏｎ  ｏｆ  ＵＥ  Ｅｍｕｌａｔｅｄ  Ｉｎｔｒａ  ＣｏＭＰ  Ｃｌｕｓｔｅｒ  Ｉｎｔｅｒｆｅｒｅｎｃｅ）」、エリクソン、３ＧＰＰ  ＲＡＮＩ♯６８ｂは、特定のＮＺＰ  ＣＳＩ−ＲＳリソースから送られる干渉を模倣しており、Ｒ１−１２２８３５「ＤＬ  ＣｏＭＰのための潜在的なＣＳＩフィードバック・フレームワーク（Ｉｍｐｌｉｃｉｔ  ＣＳＩ  Ｆｅｅｄｂａｃｋ  Ｆｒａｍｅｗｏｒｋ  ｆｏｒ  ＤＬ  ＣｏＭＰ）」、エリクソン、３ＧＰＰ  ＲＡＮＩ＃６９は、Ｒ１−１２１７４０の最新版である。これらの解決案では、一または二のＮＺＰ  ＣＳＩ−ＲＳ（ＣＳＩ参照信号）リソースが設定でき、そのポートでは、ＵＥは、設定されたＩＭＲに基づいて測定された干渉に加え、等方性信号の通信を干渉と考えるものとする。しかし、これらの解決方法のオーバーヘッドは比較的大きく、これらの解決方法で得られるＣＱＩは十分に正確でない。
【０００６】
Ｒ１−１２２７３２「ダウンリンクＣｏＭＰのためのＣＳＩフィードバック・コンテンツ（ＣＳＩ  ｆｅｅｄｂａｃｋ  ｃｏｔｅｎｔｓ  ｆｏｒ  ｄｏｗｎｌｉｎｋ  ＣｏＭＰ）」、テキサス・インスツルメンツ、３ＧＰＰ  ＲＡＮＩ＃６９では、隣接したセルのＣＱＩは、いくつかのＰＭＩ／ＲＩ仮定に基づいて計算される。しかし、そのセルの実際のデータ通信では異なるＰＭＩ／ＲＩが使用されるかもしれず、それによりリンク適応柔軟性が悪くなり、いくらかのパフォーマンス損失につながる。
【０００７】
前述の問題からみれば、ＣＱＩミスマッチを軽減して、システムパフォーマンスを改善するように、より正確で効果的な方法でＣＱＩを取得するための解決方法を発見する必要がある。
【発明の概要】
【発明が解決しようとする課題】
【０００８】
本発明は、ＣｏＭＰ技術を使用している通信システムで、ＣＱＩを取得するための解決方法を提案する。つまり、本発明は、より正確で効果的方法で、基地局（ＢＳ）またはＣｏＭＰ測定セットの内部または外部にあるポイントからの干渉を見積もることによりＣＱＩを取得する方法と装置を提供する。
【課題を解決するための手段】
【０００９】
本発明の第一の観点によると、発明の実施形態は、通信システムでＣＱＩを取得する方法を提供し、前記通信システムはＵＥと、一以上のＢＳ／ポイントを含むＣｏＭＰ測定セットと、前記ＣｏＭＰ測定セットの外部にある一以上の外部ＢＳ／ポイントとを含み、前記ＵＥは、前記ＣｏＭＰ測定セット内で供給ＢＳ／ポイントにより供給され、前記ＣｏＭＰ測定セット内部の少なくとも一つの干渉ＢＳ／ポイントと前記一以上の外部ＢＳ／ポイントによって干渉される。前記方法は、前記ＣｏＭＰ測定セットの外部にある少なくとも一つの外部ＢＳ／ポイントから前記ＵＥへの第一の干渉を見積もるステップと、前記ＣｏＭＰ測定セット内部の少なくとも一つの干渉ＢＳ／ポイントから前記ＵＥへの第二の干渉を見積もるステップと、前記第一の干渉と前記第二の干渉とに基づいてターゲットＣＱＩを取得するステップとを含むものとしても良い。
【００１０】
本発明の第二の観点によると、発明の実施形態は、通信システムでＣＱＩを取得するための装置を提供し、前記通信システムは、ＵＥと、一以上のＢＳ／ポイントを含むＣｏＭＰ測定セットと、前記ＣｏＭＰ測定セットの外部にある一以上の外部ＢＳ／ポイントとを含み、前記ＵＥは、前記ＣｏＭＰ測定セット内部の供給ＢＳ／ポイントにより供給され、前記ＣｏＭＰ測定セット内部の少なくとも一つの干渉ＢＳ／ポイントと前記一以上の外部ＢＳ／ポイントとによって干渉される。前記装置は、前記ＣｏＭＰ測定セットの外部にある少なくとも一つの外部ＢＳ／ポイントから前記ＵＥへの第一の干渉を見積もるために構成された第一の見積り部と、前記ＣｏＭＰ測定セット内部の少なくとも一つの干渉ＢＳ／ポイントから前記ＵＥへの第二の干渉を見積もるために構成された第二の見積り部と、前記第一の干渉と前記第二の干渉とに基づいてターゲットＣＱＩを取得するために構成された取得部とを含むものとしても良い。
【発明の効果】
【００１１】
それらの既存の解決方法に比べ、提案した解決方法は、効果的に前記ＣＱＩミスマッチの問題を軽減して、オーバーヘッドの削減により競争力のあるＣｏＭＰゲインを達成し、システムパフォーマンスを改善する。
【００１２】
本発明の実施形態の他の特徴および利点は、添付の図面とともに読めば、特定の実施形態の以下の説明からも明らかになるだろう。添付図面は、発明の実施形態の原理を例として示す。
【００１３】
本発明の実施形態は例示的な位置づけであり、これらの利点については、添付の図面とともに以下で、より詳細に説明する。
【図面の簡単な説明】
【００１４】
【図１】本発明の実施形態に関して、ＤＰＳというＣｏＭＰスキームを使用している通信システムを図示した概略図である。
【図２】本発明の実施形態に関して、通信システムでＣＱＩを取得する方法を図示したフローチャートである。
【図３】本発明の実施形態に関して、外部ＢＳからの第一の干渉を見積もる方法を図示するフローチャートである。
【図４】本発明の実施形態に関して、外部ＢＳからの第一の干渉を見積もる方法を図示するフローチャートである。
【図５】本発明の実施形態に関して、ＣｏＭＰ測定セット内部の干渉ＢＳからの第二の干渉を見積もる方法を図示するフローチャートである。
【図６】本発明の実施形態に関して、ＣＱＩを取得する方法を図示するフローチャートである。
【図７】本発明の実施形態に関して、ＣＱＩを取得する方法を図示するフローチャートである。
【図８】本発明の実施形態に関して、通信システムでＣＱＩを取得する装置を図示するブロック図である。
【発明を実施するための形態】
【００１５】
本発明の様々な実施形態を図面とともに詳細に説明する。図中のフローチャートおよびブロック図は、本発明の実施形態に関して、装置、方法、並びにコンピュータプログラム製品により実行可能な構成、機能、操作を示す。この点について、フローチャートまたはブロック図の中の各々のブロックは、指定された論理機能を実行するための一以上の実行可能な指示を含むモジュール、プログラムまたはコードの一部を表すものとしても良い。いくつかの変形例においては、ブロックで示される機能が、図示される順序と異なる順序で実行されても良い点に留意する必要がある。例えば、連続して示される二つのブロックは、実際には実質上並列に、または逆の順序で実行されるものとしても良い。それは関連機能次第である。ブロック図および／またはフローチャートの各ブロックとそれらの組み合わせは、特定の機能／操作のための専用のハードウェア・ベースのシステムによって、または専用のハードウェアとコンピュータ命令の組合せによって実行されても良いという点にも留意する必要がある。
【００１６】
本開示では、ユーザ機器（ＵＥ）は、端末、または移動体端末（ＭＴ）、または加入者設備（ＳＳ）、または携帯加入者設備（ＰＳＳ）、または移動局（ＭＳ）、またはアクセス端末（ＡＴ）に及ぶものとしても良く、ＵＥ、または端末、またはＭＴ、またはＳＳ、またはＰＳＳ、またはＭＳ、またはＡＴの機能の一部もしくは全部が含まれるものとしても良い。
【００１７】
本開示においては、「ＢＳ」という用語を、３ＧＰＰ用語と一致させて「ＢＳ／ポイント」または「ポイント」と時々呼ぶ。「ＢＳ／ポイント」、「ポイント」、「ＢＳ」という用語は、本開示では同じ意味を有し、それらの各々が、例えば、ノードB（ＮｏｄｅＢまたはＮＢ）、進化型ノードＢ（ｅＮｏｄｅＢまたはｅＮＢ）、ラジオ・ヘッダ（ＲＨ）、リモート・ラジオ・ヘッド（ＲＲＨ）、リレー、フェムトやピコなどの低電力ノード等を意味するものとしても良いという点に留意する必要がある。
【００１８】
まず、本発明の実施形態に関して、ＤＰＳというＣｏＭＰスキームを使用している通信システム１００の概略図を示す図1を参照する。
【００１９】
通信システム１００は、ＵＥ１１０と、二つのＢＳ１２０，１３０を含む多地点協調（ＣｏＭＰ）測定セット１０１と、ＣｏＭＰ測定セットの外部にある三つのＢＳ１４１，１４２，１４３とを含む。ＵＥ１１０は、ＣｏＭＰ測定セット内部の供給ＢＳ１２０から供給される一方で、ＣｏＭＰ測定セット内部の干渉ＢＳと三つの外部ＢＳ１４１，１４２，１４３から干渉される。
【００２０】
ＣｏＭＰ測定セット１０１内部には二つのＢＳ１２０，１３０が示されているが、二以上のＢＳが、ＣｏＭＰ測定セット１０１に含まれるものとしても良いという点に留意する必要がある。すなわち、ＵＥは、干渉ＢＳ１３０以外に、ＣｏＭＰ測定セット１０１内部の他のＢＳからも干渉されるものとしても良い。
【００２１】
通信システム１００内には三つの外部ＢＳ１４１，１４２，１４３が示されているが、ＵＥ１１０に干渉するＣｏＭＰ測定セット１０１外部のポイントは、それより少なくても多くても良いという点にも留意する必要がある。このように、ＵＥ１１０は、ＣｏＭＰ測定セット１０１外部の一以上のＢＳから干渉されるものとしても良い。
【００２２】
より深い理解のために、本開示の以下の実施形態は、図１に示される通信システムに基づいて記述される。当業者に理解されうるように、本開示は他の適当な通信システムにも適用できる可能性があり、図1に示される特定の設備に限定されない。
【００２３】
ここでは、本発明の実施形態に関して、通信システムでＣＱＩを取得する方法２００のフローチャートを示す図２を参照する。通信システムは、例えば、図１に示される通信システム１００として実現されるものであっても良い。通信システムは、ＵＥと、一以上のＢＳを含むＣｏＭＰ測定セットと、ＣｏＭＰ測定セットの外部にある一以上の外部ＢＳ／ポイントを含むものとしても良い。ＵＥは、ＣｏＭＰ測定セット内部の供給ＢＳから供給され、ＣｏＭＰ測定セット内部の少なくとも一つの干渉ＢＳとＣｏＭＰ測定セット外部の一以上のＢＳから干渉されるものとしても良い。本発明の実施形態に従って、方法１００は、例えば、供給ＢＳ、セントラルユニット、または通信システムの他の適当な装置によって実行されるものとしても良い。
【００２４】
方法２００が開始された後、ステップＳ２０１において、ＣｏＭＰ測定セットの外部にある少なくとも一つの外部ＢＳからＵＥへの第一の干渉が見積もられる。
【００２５】
本発明の実施形態に関して、第一の干渉、例えば、外部ＢＳ１４１，１４２，１４３からの干渉を見積もる方法はいくつかあっても良い。
【００２６】
本発明の実施形態に関して、供給ＢＳ／ポイントからＵＥへのチャネルのチャネル情報が測定されるものとしても良く、ＣｏＭＰ測定セット内部のＢＳ／ポイントからＵＥへのチャネルの質を示すＣＱＩが獲得されるものとしても良く、それから、測定されたチャネル情報と獲得されたＣＱＩに基づいて、第一の干渉が見積もられるものとしても良い。関連の詳細は図３に係る記述に見られるものとしても良い。
【００２７】
本発明の他の実施形態に関して、供給ＢＳ／ポイントからＵＥへのチャネルのチャネル情報が測定されるものとしても良く、参照ＢＳ／ポイントからＵＥへのチャネルの質を示すＣＱＩが獲得されるものとしても良い。参照ＢＳ／ポイントは、ＣｏＭＰ測定セット内部の少なくとも一つの干渉ＢＳ／ポイントに属す。参照ＢＳ／ポイントのＵＥへの送信電力と、供給ＢＳ／ポイントのＵＥへの送信電力と、参照ＢＳ／ポイントのＵＥへの伝送路損失と、供給ＢＳ／ポイントのＵＥへの伝送路損失が獲得されるものとしても良く、第一の干渉は、測定されたチャネル情報と、獲得されたＣＱＩと、参照ＢＳ／ポイントのＵＥへの送信電力と、供給ＢＳ／ポイントのＵＥへの送信電力と、参照ＢＳ／ポイントのＵＥへの伝送路損失と、供給ＢＳ／ポイントのＵＥへの伝送路損失とに基づいて見積もられるものとしても良い。これに関する詳細は、図４に係る記述にみられるだろう。
【００２８】
ステップＳ２０２において、ＣｏＭＰ内部の少なくとも一つの干渉ＢＳからＵＥへの第二の干渉が見積もられる。
【００２９】
本発明の実施形態に関して、第二の干渉は、様々な方法で見積もられても良い。例えば、少なくとも一つの干渉ＢＳ／ポイントからＵＥへの送信のためのビームフォーミングマトリクスを獲得することと、ＣｏＭＰ測定セット内部のＢＳ／ポイントのＵＥへの送信電力と、ＣｏＭＰ測定セット内部のＢＳ／ポイントのＵＥへの伝送路損失と、少なくとも一つの干渉ＢＳ／ポイントからＵＥへのチャネルのチャネル情報とを獲得することにより、ＣｏＭＰ測定セット内部のＢＳ／ポイントのＵＥへの送信電力と、ＣｏＭＰ測定セット内部のＢＳ／ポイントのＵＥへの伝送路損失と、獲得されたビームフォーミングマトリクスと、獲得されたチャネル情報とに基づいて、第二の干渉は見積もられるものとしても良い。これに関する詳細は、図５に係る記述にみられるだろう。
【００３０】
ステップＳ２０３では、第一の干渉と第二の干渉に基づいてターゲットＣＱＩが取得される。
【００３１】
ターゲットＣＱＩは、ＤＰＳというＣｏＭＰスキームを用いる通信システムにマッチするＣＱＩを示す。ターゲットＣＱＩは、ＣｏＭＰ測定セット内部と外部両方からの干渉を考慮することによって、ＵＥとその供給ＢＳまたは供給ポイントとの間のチャネルの実際のチャネルの質を示す。ターゲットＣＱＩを取得することにより、先行技術のＣＱＩミスマッチの問題は解決されるか、効果的に軽減されるだろう。
【００３２】
本発明の実施形態に関して、ターゲットＣＱＩは、例えば、供給ＢＳ／ポイントからＵＥへのビームフォーミングゲインを計算することと、第一の干渉と第二の干渉とビームフォーミングゲインに関して供給ＢＳ／ポイントからＵＥへのチャネルの質を計算することと、計算した質に基づいてターゲットＣＱＩを取得することにより、取得されるものとしても良い。これに関する詳細は、図６に係る記述にみられるだろう。
【００３３】
本発明の他のいくつかの実施形態に関して、ターゲットＣＱＩは、例えば、供給ＢＳ／ポイントからＵＥへのビームフォーミングゲインを計算することと、ＵＥのスケジューリングに基づいて、少なくとも一つの干渉ＢＳによる第二の干渉を更新することと、第一の干渉と更新した第二の干渉とビームフォーミングゲインに関して供給ＢＳ／ポイントからＵＥへのチャネルの質を計算することにより、取得されるものとしても良い。これに関する詳細は、図７に係る記述にみられるだろう。
【００３４】
第一の干渉と第二の干渉に基づいてターゲットＣＱＩを取得するための解決方法は、他にもいくつかあるかもしれず、上記実施形態は例として述べられており、これに限定されるものではないという点に留意する必要がある。
【００３５】
図３は、本発明の実施形態に関して、外部ＢＳからの第一の干渉を見積もる方法３００のフローチャートを示す。図３に示されるフローチャートは、第一の干渉の見積りプロセスを図示しており、図２に示される方法のステップＳ２０１を実現するための実施形態である。
【００３６】
ステップＳ３０１では、供給ＢＳからＵＥへのチャネルのチャネル情報が測定される。
【００３７】
本発明の他のいくつかの実施形態に関して、アップリンクサウンディング参照信号（ＳＲＳ）がＵＥから送られるものとしても良く、それから、アップリンクＳＲＳに基づいてチャネル情報が測定されるものとしても良い。例えば、アップリンクＳＲＳに関して、ダウンリンクチャネルマトリクスのようなチャネル情報が取得されるものとしても良い。当業者は、チャネル情報を測定するための方法がいくつか存在すると理解しているであろうし、上記実施形態は限定するものではなく一つの例である。
【００３８】
ステップＳ３０２では、ＣｏＭＰ測定セット内部のＢＳ／ポイントからＵＥへのチャネルの質を示すＣＱＩが獲得される。
【００３９】
本発明の実施形態に関して、ＵＥは、ＣｏＭＰ測定セットからの干渉を全く考慮していない。ＵＥはＣｏＭＰ測定セット外部の一以上のＢＳからの干渉を測定し、測定した干渉に基づいて、ＣＱＩをその供給ＢＳへ報告する。当該ＣＱＩは、ＣｏＭＰ測定セット内部のＢＳのうちの一つからのチャネルの、チャネルの質を示す。このように、ＤＰＳというＣｏＭＰスキームでは、ＵＥから報告されたＣＱＩは、ＣｏＭＰ測定セット内部のＢＳからの干渉を反映していない可能性があり、このことにより、ＣＱＩミスマッチの問題が生ずる。ＵＥから報告されるＣＱＩは、ＣｏＭＰ測定セット外部の干渉を見積もることで獲得されるので、本発明の実施形態では、ＣＱＩミスマッチの問題を克服するために、ＣｏＭＰ測定セットの内部と外部の両方の干渉を考慮することでターゲットＣＱＩが取得されるものとしても良い。
【００４０】
いくつかの実施形態では、ＣｏＭＰ測定セット内部にＮ個のＢＳが存在すると仮定すると、ＣｏＭＰ測定セット内部のＢＳ／ポイントからＵＥへのチャネルの質を示すＣＱＩは、ＣｏＭＰ測定セット内部の各ＢＳに対応するＮ個のＣＱＩを含むものとしても良い。Ｎ＝２である通信システム１００では、ステップＳ３０２で獲得されたＣＱＩは、供給ＢＳ１２０に対応する第一のＣＱＩと干渉ＢＳ１３０に対応する第二のＣＱＩとを含むものとしても良い。
【００４１】
ステップＳ３０３では、測定されたチャネル情報と獲得されたＣＱＩとに基づいて第一の干渉が見積もられる。
【００４２】
本発明の実施形態に関して、アンテナ仮想化マトリクスが推定される。アンテナ仮想化マトリクスは、ダウンリンク通信でサービスエリアを向上するために導入されるもので、本発明を限定するものとして解釈されるべきではない、という点に留意する必要がある。アンテナ仮想化マトリクスは、初期設定されたものであっても良いし、例えば、通信システムの構成および／または要件、オペレータの経験、プロバイダ、ベンダー等に従って、予め定めたものであっても良い。
【００４３】
ステップＳ３０２のＣＱＩに基づいて、信号対雑音干渉比（ＳＩＮＲ）が、ＣＱＩ−ＳＩＮＲ探索テーブルまたは当業者に知られる適切な方法により取得されるものとしても良い。Ｎ＝２である通信システム１００には、獲得された二つのＣＱＩに基づいて、二つのＳＩＮＲが取得されるものとしても良い。
【００４４】
本実施形態では、通信システムがいくつかのＵＥを有し、ｉ番目のＵＥについて考えるということを前提とする。ＣｏＭＰ測定セット内部にＮ個のＢＳが存在するということと、ＣｏＭＰ測定セット外部にＫ個のＢＳが存在するということと、ＣｏＭＰ測定セット内部のｍ番目のＢＳによってｉ番目のＵＥが供給されるということと、ｍ番目のＢＳを除くＣｏＭＰ測定セット内部のＮ−１個のＢＳによりＵＥが干渉されるということも前提とする。例えば、図１で示される通信システムでは、Ｎ＝２、Ｋ＝３である。
【００４５】
実施形態では、アンテナ仮想化マトリクスをＷｉ，０と表記し、ステップＳ３０１で測定されたチャネルマトリクスをＨｍ，ｉと表記し、ＣｏＭＰ測定セット内部のｎ番目のＢＳに対応するＳＩＮＲをＳＩＮＲｎ，ｉと表記する。第一の干渉はＫ個全ての外部ＢＳによって引き起こされる干渉を含む。ＣｏＭＰ測定セット内部のｎ番目のＢＳに関して、第一の干渉の候補をβｎｉ，１と表記し、以下により計算されうるものとしても良い。
【数１】
0005855286.tif 000002
【００４６】
計算した第一の干渉のＮ個の候補に関して、例えば第一の干渉のＮ個の候補から最大のものを選択すること、または第一の干渉のＮ個の候補からランダムに一つ選択すること、またはＮ個の候補の平均値を計算して得られた平均値を第一の干渉として採用すること、または他の適切な方法により、第一の干渉（βｉ，１と表記される）が決定されるものとしても良い。
【００４７】
例えば、ＣｏＭＰ測定セット内部に二つのＢＳ、即ち供給ＢＳ１２０と干渉ＢＳ１３０とが存在する通信システム１００に関して、第一の干渉の第一候補β１ｉ，１が、供給ＢＳ１２０からＵＥへのチャネルの、チャネルの質を示すＣＱＩに基づいて見積もられるものとしても良く、第一の干渉の第二候補β２ｉ，１が、干渉ＢＳ１３０からＵＥへのチャネルの、チャネルの質を示すＣＱＩに基づいて見積もられるものとしても良い。第一の干渉βｉ，１は、第一候補β１ｉ，１、または第二候補β２ｉ，１、または第一候補と第二候補の平均、または第一候補と第二候補に基づいて得られる適切な値と決定されても良い。
【００４８】
図４は、本発明の実施形態に関して、外部ＢＳからの第一の干渉を見積もる方法４００のフローチャートを示す。図４に示されるフローチャートは、第一の干渉の見積もりプロセスを示し、図２に示された方法のステップＳ２０１を実現するための他の実施形態である。
【００４９】
ステップＳ４０１では、供給ＢＳからＵＥへのチャネルのチャネル情報が測定される。
【００５０】
方法４００のステップＳ４０１は、上記した方法３００のステップＳ３０１に対応する。ステップＳ３０１と同様に、ステップＳ４０１の測定は、ＵＥからアップリンクＳＲＳを受信し、アップリンクＳＲＳに基づいてチャネル情報を測定することにより実現されるものとしても良い。
【００５１】
ステップＳ４０２では、参照ＢＳからＵＥへのチャネルの質を示すＣＱＩが獲得される。
【００５２】
図３に関して示された実施形態と異なり、ＵＥは、Ｋ個の外部ＢＳ各々に対応するＫ個全てのＣＱＩを報告する代わりに、参照ＢＳに対応する一個のＣＱＩのみ報告する。本発明の実施形態に関して、参照ＢＳは、ＣｏＭＰ測定セット内部の少なくとも一つの干渉ＢＳに属し、少なくとも一つの干渉ＢＳのうち、いずれの一つであっても良い。
【００５３】
参照ＢＳに対応するＣＱＩを受信すると、供給ＢＳはＣＱＩ−ＳＩＮＲ探索テーブルまたは当業者に知られる適切な方法により参照ＳＩＮＲを取得するものとしても良い。本実施形態では、参照ＳＩＮＲはＳＩＮＲｒ，０と表記するものとしても良い。
【００５４】
ステップＳ４０３では、参照ＢＳのＵＥへの送信電力と、供給ＢＳのＵＥへの送信電力と、参照ＢＳのＵＥへの伝送路損失と、供給ＢＳのＵＥへの伝送路損失とが獲得される。
【００５５】
本実施形態では、通信システムがいくつかのＵＥを有しｉ番目のＵＥについて考えるということと、ＣｏＭＰ測定セット内部にＮ個のＢＳが存在するということと、ＣｏＭＰ測定セット外部にＫ個のＢＳが存在するということと、ＣｏＭＰ測定セット内部のｍ番目のＢＳによってｉ番目のＵＥに供給されるということと、ｍ番目のＢＳを除くＣｏＭＰ測定セット内部のＮ−１個のＢＳによりＵＥが干渉されるということを前提とする。例えば、図１で示される通信システムでは、Ｎ＝２、Ｋ＝３であり、参照ＢＳは干渉ＢＳ１３０である。
【００５６】
参照ＢＳのＵＥへの送信電力と、供給ＢＳのＵＥへの送信電力と、参照ＢＳのＵＥへの伝送路損失と、供給ＢＳのＵＥへの伝送路損失とを、セントラルユニットまたは通信システムの他の適切な装置から供給ＢＳが獲得するものとしても良い。いくつかの実施形態では、本発明に係る方法は、セントラルユニットで実行されるものとしても良い。この場合は、セントラルユニットは、参照ＢＳのＵＥへの送信電力と、供給ＢＳのＵＥへの送信電力と、参照ＢＳのＵＥへの伝送路損失と、供給ＢＳのＵＥへの伝送路損失とを収集しても良く、第一の干渉と第二の干渉とを見積もり、ターゲットＣＱＩを取得する。通信システムのＢＳはターゲットＣＱＩ、即ちＣｏＭＰ測定セットの内部と外部の両方の干渉に基づいて得られたＣＱＩを取得するためにセントラルユニットと通信するものとしても良い。
【００５７】
ステップＳ４０４では、測定されたチャネル情報と、獲得されたＣＱＩと、参照ＢＳのＵＥへの送信電力と、供給ＢＳのＵＥへの送信電力と、参照ＢＳのＵＥへの伝送路損失と、供給ＢＳのＵＥへの伝送路損失とに基づいて第一の干渉が見積もられる。
【００５８】
本発明の実施形態に関しては、測定されたチャネル情報（例えば供給ＢＳからＵＥへのチャネルマトリクス）をＨｒ，ｉと表記し、獲得されたＣＱＩに対応するＳＩＮＲは参照ＳＩＮＲであってＳＩＮＲｒ，０と表記し、参照ＢＳのＵＥへの送信電力をＰｒと表記し、供給ＢＳのＵＥへの送信電力をＰｍと表記し、参照ＢＳのＵＥへの伝送路損失をＰｌｏｓｓ，ｒ、ｉと表記し、供給ＢＳのＵＥへの伝送路損失をＰｌｏｓｓ，ｍ，ｉと表記する。第一の干渉βｉ，１は以下の式で計算されるものとしても良い。
【数２】
0005855286.tif 000003
【００５９】
ＣｏＭＰ測定セット内部のＢＳからＵＥへのチャネルの質を示す複数のＣＱＩを獲得する代わりに、参照ＢＳからＵＥへのチャネルの質を示す一個のＣＱＩを獲得することは有利である。この方法では、ＵＥは一個のＣＱＩだけを報告する必要がある。よって、多くのＣＱＩを伝送するオーバーヘッドが効果的に削減される。
【００６０】
図３,４に関して示された実施形態以外の様々な方法で第一の干渉が見積もられても良いという点に留意する必要がある。当業者は、前述した実施形態と式（１），（２）が単なる例示であって限定ではないということを理解するであろう。
【００６１】
図５は、本発明の実施形態に関して、ＣｏＭＰ測定セット内部の干渉ＢＳからの第二の干渉を見積もる方法５００のフローチャートを示す。図５に示されるフローチャートは、第二の干渉の見積りプロセスを示し、図２で示される方法のステップＳ２０２を実現するための実施形態である。
【００６２】
ステップＳ５０１では、少なくとも一つの干渉ＢＳからＵＥへの通信のビームフォーミングマトリクスが獲得される。
【００６３】
図３,４に関して述べた実施形態と同様に、通信システムがいくつかのＵＥを有しｉ番目のＵＥについて考えるということと、ＣｏＭＰ測定セット内部にＮ個のＢＳが存在するということと、ＣｏＭＰ測定セット外部にＫ個のＢＳが存在するということと、ＣｏＭＰ測定セット内部のｍ番目のＢＳによってｉ番目のＵＥが供給されるということと、ｍ番目のＢＳを除くＣｏＭＰ測定セット内部のＮ−１個のＢＳによりＵＥが干渉されるということを前提とする。
【００６４】
本発明の実施形態に従い、ステップＳ５０１で獲得されたビームフォーミングマトリクスは、最後のサブフレームでＢＳjにより使用されるビームフォーミングマトリクスであっても良い。ＢＳjはＣｏＭＰ測定セット内部のｊ番目の干渉ＢＳ／ポイントを示し、j≠ｍであり、供給ＢＳはＣｏＭＰ測定セット内部のｍ番目のポイントである。本実施形態では、少なくとも一つの干渉ＢＳからＵＥへの通信のビームフォーミングマトリクスをＷｊと表記する。
【００６５】
ステップＳ５０２では、ＣｏＭＰ測定セット内部のＢＳのＵＥへの送信電力と、ＣｏＭＰ測定セット内部のＢＳのＵＥへの伝送路損失と、少なくとも一つの干渉ＢＳからＵＥへのチャネルのチャネル情報とが獲得される。
【００６６】
本発明の実施形態に従い、ＣｏＭＰ測定セット内部のＢＳのＵＥへの送信電力は、供給ＢＳのＵＥへの送信電力（Ｐｍと表記する）と、ＣｏＭＰ測定セット内部の各干渉ＢＳのＵＥへの送信電力（Ｐｊと表記し、ｊ＝１，２，・・・，Ｎかつj≠ｍ）とを含む。ＣｏＭＰ測定セット内部のＢＳのＵＥへの伝送路損失は、供給ＢＳからＵＥへの伝搬の伝送路損失（Ｐｌｏｓｓ，ｍ，ｉと表記する）と、ＣｏＭＰ測定セット内部の各干渉ＢＳのＵＥへの伝送路損失（Ｐｌｏｓｓ，ｊ，ｉと表記する）とを含む。更に、少なくとも一つの干渉ＢＳからＵＥへのチャネルのチャネル情報は、ｊ番目のＢＳのＵＥへのチャネルマトリクスを含むものとしても良く、チャネルマトリクスをＨｊ，ｉ、ｊ＝１，２，・・・，Ｎかつj≠ｍと表記するものとしても良い。
【００６７】
本発明の実施形態に関して、ＣｏＭＰ測定セット内部のＢＳのＵＥへの送信電力と、ＣｏＭＰ測定セット内部のＢＳのＵＥへの伝送路損失と、少なくとも一つの干渉ＢＳからＵＥへのチャネルのチャネル情報とは、セントラルユニットまたは通信システム内の他の適切な装置から供給ＢＳが獲得するものとしても良い。いくつかの実施形態では、本発明に係る方法はセントラルユニットで実行されるものとしても良い。この場合は、セントラルユニットがターゲットＣＱＩを取得するために上記パラメータを集めるものとしても良い。通信システム内のＢＳは、ターゲットＣＱＩを取得するためにセントラルユニットと通信するものとしても良い。ターゲットＣＱＩは、換言すれば、ＣｏＭＰ測定セット内部と外部両方の干渉に基づいて取得されたＣＱＩである。
【００６８】
ステップＳ５０３では、送信電力と、伝送路損失と、獲得されたビームフォーミングマトリクスと、獲得されたチャネル情報とに基づいて第二の干渉が見積もられる。
【００６９】
本発明の実施形態によれば、第二の干渉βｉ，２、即ちＣｏＭＰ測定セット内部のＢＳにより引き起こされる干渉は、以下で見積もられものとしても良い。
【数３】
0005855286.tif 000004
【００７０】
第二の干渉は、様々な方法で見積もられるものとしても良い、という点に留意する必要がある。当業者は、前述した実施形態と式（３）が単なる例示であって限定ではないと理解するであろう。
【００７１】
図６は、本発明の実施形態に関して、ＣＱＩを取得する方法６００のフローチャートを示す。図６で示されるフローチャートは、図３または図４の方法に係り見積もられた第一の干渉と、図５の方法に係り見積もられた第二の干渉とに基づいて、ターゲットＣＱＩを取得する実施形態を示す。方法６００は、図２で示される方法のステップＳ２０３を実現するための実施形態である。
【００７２】
ステップＳ６０１では、供給ＢＳからＵＥへのビームフォーミングゲインを計算する。
【００７３】
本発明の実施形態によれば、供給ＢＳからＵＥへのチャネルのチャネル情報に基づいてビームフォーミングゲインが取得されるものとしても良い。供給ＢＳからＵＥへのチャネルのチャネル情報は、ステップＳ３０１と同様に取得するものとしても良い。つまり、いくつかの実施形態では、アップリンクＳＲＳをＵＥから受信し、アップリンクＳＲＳに基づいてチャネル情報を測定するものとしても良い。例えば、アップリンクＳＲＳによりダウンリンクチャネルマトリクスを取得するものとしても良い。ダウンリンクチャネルマトリクスを、Ｈｍ，ｉと表記する。供給ＢＳからＵＥへのチャネルのチャネルマトリクスに基づいて、特異値分解（ＳＶＤ）や固有値分解（ＥＶＤ）等のようないくつかの既存の方法に従い、ＵＥへのセル通信のビームフォーミングゲインを計算するものとしても良い。いくつかの実施形態では、ステップＳ６０１で計算されたビームフォーミングゲインを、γｉと表記するものとしても良い。
【００７４】
ステップＳ６０２では、供給ＢＳからＵＥへのチャネルの質を、第一の干渉と、第二の干渉と、ビームフォーミングゲインとにより計算する。
【００７５】
本発明の実施形態によれば、「チャネル質」または「チャネルの質」にはＢＳからＵＥへのチャネルの質を反映する情報が含まれるものとしても良い。例えば、チャネルの質には、信号対雑音干渉比（ＳＩＮＲ）、信号対雑音比（ＳＮＲ）、信号対干渉比（ＳＩＲ）、搬送波対雑音干渉比（ＣＩＮＲ）、搬送波対雑音比（ＣＮＲ）等が含まれるものとしても良い。図６に関して述べられた実施形態では、代表的にＳＩＮＲがチャネルの質に含まれる。本発明の他の実施形態では、チャネルの質に、更にＳＮＲ、またはＳＩＲ、またはＣＩＮＲ、またはＣＮＲ、またはＳＩＮＲとＳＮＲとＳＩＲとＣＩＮＲとＣＮＲのいずれかの組み合わせが含まれていても良いという点に留意する必要がある。
【００７６】
本発明の実施形態に従って、供給ＢＳからＵＥへのチャネルの質を以下のように計算するものとしても良い。
【数４】
0005855286.tif 000005
ここでγｉは供給ＢＳからＵＥへのビームフォーミングゲインを示し、βｉは、ＣｏＭＰ測定セット内部の干渉ＢＳからＵＥへの干渉と、外部ＢＳからＵＥへの干渉との全体の干渉を示す。
【００７７】
本発明の実施形態に関して、全体の干渉βｉを様々な方法で取得するものとしても良い。いくつかの実施形態では、以下のように、ＣｏＭＰ測定セット内部の干渉ＢＳからＵＥへの干渉（即ち第一の干渉）と外部ＢＳからＵＥへの干渉（即ち第二の干渉）とを直接的に足し合わせることで全体の干渉βｉを取得するものとしても良い。
【数５】
0005855286.tif 000006
ここでβｉ，１は第一の干渉を示し、例えば、図３，４で示される実施形態により見積もられたものでも良い。βｉ，２は第二の干渉を示し、例えば、図５で示される実施形態により見積もられたものでも良い。
【００７８】
いくつかの他の実施形態では第一の干渉と第二の干渉各々に重みを付けて、重みを付けた第一の干渉と重みを付けた第二の干渉とを足し合わせることで、全体の干渉βｉを取得するものとしても良い。例えば、全体の干渉βｉは以下のように取得するものとしても良い。
【数６】
0005855286.tif 000007
ここでβｉ，１は第一の干渉を示し、βｉ，２は第二の干渉を示し、ｗｉ，１は第一の干渉に適用される第一の重みを示し、ｗｉ，２は第二の干渉に適用される第二の重みを示す。本発明の実施形態に係り、重みｗｉ，１とｗｉ，２は通信システムの実際の状態に従い初期設定されているものとしても良いし、オペレータまたは当業者の経験または選択に従い所定のもの等であっても良い。第一の重みまたは第二の重みの初期設定値または所定値は一定値または変化値であっても良い。
【００７９】
ステップＳ６０３では、計算した質に基づいてターゲットＣＱＩを取得する。
【００８０】
ステップＳ６０２で計算した供給ＢＳからＵＥへのチャネルの質に基づいて、ＣＱＩ−ＳＩＮＲ探索テーブルまたは当業者により知られる適切な方法により、対応するＣＱＩを取得するものとしても良い。この方法で、ターゲットＣＱＩを取得するものとしても良い。
【００８１】
図７は、本発明の実施形態に関して、ＣＱＩを取得する方法７００のフローチャートを示す。図７で示されるフローチャートは、図３または図４の方法に係り見積もられた第一の干渉と、図５の方法に係り見積もられた第二の干渉とに基づいて、ターゲットＣＱＩを取得する他の実施形態を示す。方法７００は、図２で示される方法のステップＳ２０３を実現するための他の実施形態を示す。ここでは、少なくとも一つの干渉ＢＳがＵＥのスケジューリングに基づいて第二の干渉を更新し、供給ＢＳ／ポイントからＵＥへのチャネルの質は、第一の干渉と、更新された第二の干渉と、ビームフォーミングゲインとによって計算される。この方法では、第二の干渉の見積もりの正確性が大幅に改善されうる。
【００８２】
ステップＳ７０１では、供給ＢＳからＵＥへのビームフォーミングゲインを計算する。
【００８３】
方法７００のステップＳ７０１は上記方法６００のステップＳ６０１に対応する。ステップＳ６０１と同様に、ステップＳ７０１では、供給ＢＳからＵＥへのチャネルのチャネル情報に基づいて、特異値分解（ＳＶＤ）や固有値分解（ＥＶＤ）等のようなアルゴリズムの方法により、ビームフォーミングゲインを取得するものとしても良い。
【００８４】
ステップＳ７０２では、少なくとも一つの干渉ＢＳによるＵＥのスケジューリング情報を含むスケジューリング結果が取得される。
【００８５】
ＣｏＭＰ測定セット内部の各ＢＳには、潜在的に供給をうけるＵＥをスケジューリングする可能性がある。そのようなスケジューリングの後で、ＵＥは、スケジューリングＢＳによって特定のリソースを割り当てられる。本発明の実施形態に関して、スケジューリング結果は、一以上の干渉ＢＳのうちの一つの干渉ＢＳによるＵＥのスケジューリングの情報を含むものとしても良い。通信システム１００では、スケジューリング結果は、干渉ＢＳ１３０によるＵＥのスケジューリングの情報を含むものとしても良い。例えば、ステップＳ７０２で、ＵＥ１１０へのリソース割り当ての情報を取得するものとしても良い。
【００８６】
ステップＳ７０３では、スケジューリング結果に基づいて、少なくとも一つの干渉ＢＳからＵＥへの通信のビームフォーミングマトリクスが獲得される。
【００８７】
ステップＳ５０１で獲得されたビームフォーミングマトリクスは、最後のサブフレームでＢＳに使用されるビームフォーミングマトリクスであるという点に留意する必要がある。それと違って、ステップＳ７０３で獲得されたビームフォーミングマトリクスは、現在のサブフレームでＢＳに使用される。即ち、ステップＳ７０３で獲得されたビームフォーミングマトリクスは、ステップＳ５０１で獲得されたビームフォーミングマトリクスより、第二の干渉を見積もる上で正確性を向上させる。
【００８８】
本発明の実施形態によれば、現在のサブフレームの供給ＢＳからＵＥへのチャネルのチャネル情報に基づいて、特異値分解（ＳＶＤ）や固有値分解（ＥＶＤ）等の方法により、ビームフォーミングゲインを取得するものとしても良い。
【００８９】
ステップＳ７０４では、獲得されたビームフォーミングマトリクスと、少なくとも一つの干渉ＢＳからＵＥへのチャネルのチャネル情報と、ＣｏＭＰ測定セット内部のＢＳのＵＥへの送信電力と伝送路損失とに基づいて、第三の干渉を見積もる。
【００９０】
本発明の実施形態によれば、第三の干渉βｉ，３、即ちＣｏＭＰ測定セット内部のＢＳにより引き起こされる干渉を以下のように見積もるものとしても良い。
【数７】
0005855286.tif 000008
ここで、Ｐｍは供給ＢＳ（例えば、ＣｏＭＰ測定セット内部のｍ番目のＢＳ）のＵＥへの伝送電力を示し、Ｐｊ（ｊ＝１，２，・・・，Ｎかつj≠ｍ）はＣｏＭＰ測定セット内部の各干渉ＢＳのＵＥへの伝送電力を示し、Ｐｌｏｓｓ，ｍ，ｉは供給ＢＳからＵＥへの伝搬の伝送路損失を示し、Ｐｌｏｓｓ，ｊ，ｉはＣｏＭＰ測定セット内部の各干渉ＢＳのＵＥへの伝送路損失を示し、Ｈｊ，ｉは少なくとも一つの干渉ＢＳからＵＥへのチャネルのチャネル情報、例えばｊ番目のＢＳのＵＥへのチャネルマトリクスを示し、W〜ｊは現在のサブフレームの、ｊ番目のＢＳからＵＥへの通信のビームマトリクスを示す。
【００９１】
ステップＳ７０５では、第二の干渉が第三の干渉で更新される。
【００９２】
本発明の実施形態に関して、更新プロセスは次の式を使って実現されるものとしても良い。
【数８】
0005855286.tif 000009
【００９３】
最後のサブフレームに対応するビームフォーミングマトリクスを使って見積もられた第二の干渉に比べ、更新後の第二の干渉は、より正確で、より実際の通信状況に適する。第二の干渉の更新プロセスは任意であるという点に留意する必要がある。換言すれば、本発明に係るＣＱＩを取得する方法は、第三の干渉で第二の干渉を更新することなく実行されるものとしても良い。
【００９４】
ステップＳ７０６では、供給ＢＳからＵＥへのチャネルの質を、第一の干渉と、更新後の第二の干渉と、ビームフォーミングゲインとにより計算する。
【００９５】
方法７００のステップＳ７０６は上記方法６００のステップＳ６０２に対応する。ステップＳ６０２と同様に、供給ＢＳからＵＥへのチャネルの質を、式（４）により計算するものとしても良い。ここで、式（４）で記されている全体の干渉βｉを、ステップＳ７０２からステップＳ７０５により更新された第二の干渉と、第一の干渉とに基づいて取得するものとしても良い。
【００９６】
ステップＳ７０７では、計算した質に基づいてターゲットＣＱＩを取得する。
【００９７】
方法７００のステップＳ７０７は上記方法６００のステップＳ６０３に対応する。ステップＳ６０３と同様に、ステップＳ７０７では、ＣＱＩ−ＳＩＮＲ探索テーブルまたは当業者により知られる適切な方法により、ターゲットＣＱＩを取得するものとしても良い。
【００９８】
ここで図８を参照する。図８は、本発明の実施形態に関して、通信システムでＣＱＩを取得する装置８００のブロック図を示す。これらの実施形態では、通信システムは、ＵＥと、一以上の基地局（ＢＳ）／ポイントを含むＣｏＭＰ測定セットと、ＣｏＭＰ測定セットの外部の一以上の外部ＢＳ／ポイントとを含むものとしても良く、そこではＵＥは、ＣｏＭＰ測定セット内部の供給ＢＳ／ポイントにより供給され、ＣｏＭＰ測定セット内部の少なくとも一つの干渉Ｂ／ポイントと一以上の外部ＢＳ／ポイントとにより干渉されるものとしても良い。図８に示された装置８００は、供給ＢＳと、セントラルユニットと、通信システムの他の適切な装置で実現されるものとしても良い。
【００９９】
本発明の実施形態に関して、装置８００は、ＣｏＭＰ測定セットの外部にある少なくとも一つの外部ＢＳ／ポイントからＵＥへの第一の干渉を見積もるために構成された第一の見積り部８１０と、ＣｏＭＰ測定セット内部の少なくとも一つの干渉ＢＳ／ポイントからＵＥへの第二の干渉を見積もるために構成された第二の見積り部８２０と、第一の干渉と第二の干渉とに基づいてターゲットＣＱＩを取得するために構成された取得部８３０とを含むものとしても良い。
【０１００】
本発明の実施形態に関して、第一の見積り部８１０は、供給ＢＳ／ポイントからＵＥへのチャネルのチャネル情報を測定するために構成された第一の測定手段と、ＣｏＭＰ測定セット内部のＢＳ／ポイントからＵＥへのチャネルの質を示すＣＱＩを獲得するために構成された第一の獲得手段と、測定されたチャネル情報と獲得されたＣＱＩとに基づいて第一の干渉を見積もるために構成された第一の見積り手段とを含むものとしても良い。
【０１０１】
本発明の実施形態に関して、第一の見積り部８１０は、供給ＢＳ／ポイントからＵＥへのチャネルのチャネル情報を測定するために構成された第三の測定手段と、ＣｏＭＰ測定セット内部の少なくとも一つの干渉ＢＳ／ポイントに属する参照ＢＳ／ポイントからＵＥへのチャネルの質を示すＣＱＩを獲得するために構成された第二の獲得手段と、参照ＢＳ／ポイントのＵＥへの送信電力と、供給ＢＳ／ポイントのＵＥへの送信電力と、参照ＢＳ／ポイントのＵＥへの伝送路損失と、供給ＢＳ／ポイントのＵＥへの伝送路損失とを獲得するために構成された第三の獲得手段と、測定されたチャネル情報と、獲得されたＣＱＩと、参照ＢＳ／ポイントのＵＥへの送信電力と、供給ＢＳ／ポイントのＵＥへの送信電力と、参照ＢＳ／ポイントのＵＥへの伝送路損失と、供給ＢＳ／ポイントのＵＥへの伝送路損失とに基づいて第一の干渉を見積もるために構成された第二の見積り手段とを含むものとしても良い。
【０１０２】
本発明の実施形態に関して、第一の測定手段または第三の測定手段は、ＵＥからアップリンクサウンディング参照信号を受信するための構成された受信手段と、前記アップリンクサウンディング参照信号に基づいてチャネル情報を測定するために構成された第二の測定手段とを含むものとしても良い。
【０１０３】
本発明の実施形態に関して、第二の見積り部８２０は、少なくとも一つの干渉ＢＳ／ポイントからＵＥへの通信のビームフォーミングマトリクスを獲得するために構成された第四の獲得手段と、ＣｏＭＰ測定セット内部のＢＳ／ポイントのＵＥへの送信電力と、ＣｏＭＰ測定セット内部のＢＳ／ポイントのＵＥへの伝送路損失と、少なくとも一つの干渉ＢＳ／ポイントからＵＥへのチャネルのチャネル情報とを獲得するために構成された第五の獲得手段と、ＣｏＭＰ測定セット内部のＢＳ／ポイントのＵＥへの送信電力と、ＣｏＭＰ測定セット内部のＢＳ／ポイントのＵＥへの伝送路損失と、獲得されたビームフォーミングマトリクスと、獲得されたチャネル情報とに基づいて第二の干渉を見積もるために構成された第三の見積り手段とを含むものとしても良い。
【０１０４】
本発明の実施形態に関して、取得部８３０は、供給ＢＳ／ポイントからＵＥへのビームフォーミングゲインを計算するために構成された第一の計算手段と、第一の干渉と、第二の干渉と、ビームフォーミングゲインとにより供給ＢＳ／ポイントからＵＥへのチャネルの質を計算するために構成された第二の計算手段と、計算した質に基づいてターゲットＣＱＩを取得するために構成された第一の取得手段とを含むものとしても良い。
【０１０５】
本発明の実施形態に関して、第二の計算手段は、少なくとも一つの干渉ＢＳによるＵＥのスケジューリングに基づいて第二の干渉を更新するために構成された第一の更新手段と、第一の干渉と、更新後の第二の干渉と、ビームフォーミングゲインとにより供給ＢＳ／ポイントからＵＥへのチャネルの質を計算するために構成された第三の計算手段とを含むものとしても良い。
【０１０６】
本発明の実施形態に関して、第一の更新手段は、少なくとも一つの干渉ＢＳによるＵＥのスケジューリングの情報を含むスケジューリング結果を取得するために構成された第二の取得手段と、スケジューリング結果に基づいて少なくとも一つの干渉ＢＳ／ポイントからＵＥへの通信のビームフォーミングマトリクスを獲得するために構成された第六の獲得手段と、獲得されたビームフォーミングマトリクスと、少なくとも一つの干渉ＢＳ／ポイントからＵＥへのチャネルのチャネル情報と、ＣｏＭＰ測定セット内部のＢＳ／ポイントのＵＥへの送信電力と、ＣｏＭＰ測定セット内部のＢＳ／ポイントのＵＥへの伝送路損失とに基づいて第三の干渉を見積もるために構成された第四の見積り手段と、第三の干渉で第二の干渉を更新するために構成された第二の更新手段とを含むものとしても良い。
【０１０７】
装置８００は、図２から図７に関して述べられた機能を実現するために構成されているものとしても良いという点に留意する必要がある。それゆえ、方法２００、３００、４００、５００、６００、７００のいずれかに関して述べられた特徴は、装置８００の対応構成要素にあてはまるものとしても良い。装置８００の構成要素は、ハードウェア、ソフトウェア、ファームウェア、および／またはそれらの組み合わせで具現化されるものとしても良い、という点にも留意する必要がある。例えば、装置８００の構成要素は、各々、回路、またはプロセッサ、または他の適切な選択装置で実現されるものとしても良い。当業者は前記例が単なる例示であって限定ではないと理解するであろう。
【０１０８】
本開示のいくつかの実施形態では、装置８００は少なくとも一つのプロセッサを含む。本開示の実施形態での使用に適切な少なくとも一つのプロセッサには、例として、既知のまたは将来開発される、汎用プロセッサと特殊な目的のプロセッサとがともに含まれるものとしても良い。装置８００は少なくとも一つのメモリを更に含む。少なくとも一つのメモリは、例えば、ＲＡＭ、ＲＯＭ、ＥＰＲＯＭ、ＥＥＰＲＯＭ、フラッシュメモリ装置のような半導体記憶装置を含む。少なくとも一つのメモリは、コンピュータ実行可能な指示のプログラムを格納するのに使用されるものとしても良い。プログラムは、高水準および／または低水準のコンパイル可能または解釈可能なプログラミング言語で書かれるものとしても良い。実施形態によれば、コンピュータ実行可能な指示は、装置８００が、少なくとも一つのプロセッサで、少なくとも上記方法２００から方法７００のいずれかに関して動作するように構成されているものとしても良い。
【０１０９】
上記を考慮して、本発明の実施形態に係る方法および／または装置によれば、ＤＰＳというＣｏＭＰスキームにおけるＣＱＩミスマッチの問題が克服され、通信システムのオーバーヘッドが効果的に削減され、システム効率が大幅に改善されると当業者は理解するだろう。
【０１１０】
上記の説明に基づいて、当業者は、本開示が、装置または方法またはコンピュータプログラム製品に具現化される可能性があると認めるだろう。一般に、様々な典型的な実施形態は、ハードウェアまたは特別な目的の回路、またはソフトウェア、またはロジック、またはそれらの組合せで実現されるものとしても良い。例えば、いくつかの要素がハードウェアで実現される一方、他の要素が、コントローラ、またはマイクロプロセッサ、または他のコンピュータデバイスで実行されるファームウェアまたソフトウェアで実現されるものとしても良い。しかし本開示はそれらに限定されない。本開示の典型的な実施形態の様々な面が、ブロック図、またはフローチャート、または他の写真等による視覚表現を使うことで図示され表現される一方で、ここに表現されるこれらのブロック、または装置、またはシステム、または技術、または方法が、非限定的な例として、ハードウェア、またはソフトウェア、またはファームウェア、または特別な目的の回路またはロジック、または多目的ハードウェアまたはコントローラまたは他のコンピュータデバイス、またはそれらの組み合わせで実現されるものとしても良いということは当業者に十分理解される。
【０１１１】
図２〜図７に見られる様々なブロックは、方法のステップとして、および／またはコンピュータープログラム・コードの動作により生じる操作として、および／または関連する機能を実行するために構成される複数の連結論理回路要素として、表現されるものとしても良い。少なくとも本開示の典型的な実施形態のいくつかの要素は、集積回路チップとモジュールのような様々な構成要素で実現されるものとしても良く、本開示の典型的な実施形態は、本開示の典型的な実施形態に従って動作するように構成された集積回路、またはＦＰＧＡ、またはＡＳＩＣとして具現化される装置で実現されるものとしても良い。
【０１１２】
本明細書は、多くの特定の実施の詳細を含むが、開示または請求の範囲を限定するものとして捉えられるべきではなく、むしろ、特定の開示の特定の具現化に関する特徴の記載であるものとして捉えられるべきである。別々の実施形態の文脈において、この明細書で記述される特定の特徴は、一つの実施形態の組合せで実行されうる。逆に、一つの実施形態の文脈で記述される様々な特徴は、複数の実施形態または適当な下位の組合せでも実行されうる。更に、特徴は、特定の組み合わせを実現するように上述された、最初にクレームされているものでも良いが、クレームされた組み合わせの一以上の特徴は、いくつかの場合では組み合わせから取り除かれる可能性もあり、クレームされた組み合わせは、下位の組み合わせ、または下位の組み合わせのヴァリエーションに方向づけられるものであっても良い。
【０１１３】
同様に、操作は、図では特定の順序で示されているが、望ましい結果を達成するために、それら操作は図示される特定の順序または連続した順序で実行される必要はなく、または全ての図示された操作が実行される必要もないと理解するべきである。特定の状況では、マルチタスキングと並列処理が有利である可能性がある。更に、上述の実施形態では様々なシステム構成要素が分離されているが、全ての実施形態でそのように分離されている必要があると理解するべきではない。そして、記述されたプログラム構成要素とシステムが、通常、一つのソフトウェア製品に一緒に集積され、または複数のソフトウェア製品にパッケージされうることが理解されるべきである。
【０１１４】
前述の説明を添付の図面とともに読むと、上記本開示の典型的な実施形態への多様な修正、翻案が、関連技術の当業者にとって明らかになるだろう。いかなる、そして全ての修正は、やはり本開示の非限定的で典型的な実施形態の範囲内になる。さらにまた、前述の説明と関連図面の教示の利益を受ける、本開示の実施形態が属する分野の当業者に、ここに述べられた開示の他の実施形態が思い浮かぶだろう。
【０１１５】
したがって、本開示の実施形態は、開示された特定の実施形態に限定されて理解されるべきではない。そして、その修正と他の実施形態を添付のクレームの範囲内に含むことを意図していると理解すべきである。ここでは特定の用語が使用されているが、それらは一般的で説明的な意味でのみ使用され、限定目的で使用されるものではない。
【０１１６】
（付記１）
通信システムでチャネル品質表示（ＣＱＩ）を取得する方法であって、
前記通信システムは、ユーザ機器（ＵＥ）と、一以上の基地局（ＢＳ）／ポイントを含む多地点協調（ＣｏＭＰ）測定セットと、前記ＣｏＭＰ測定セットの外部にある一以上の外部ＢＳ／ポイントとを含み、
前記ＵＥは、前記ＣｏＭＰ測定セット内で供給ＢＳ／ポイントにより供給され、前記ＣｏＭＰ測定セット内部の少なくとも一つの干渉ＢＳ／ポイントと前記一以上の外部ＢＳ／ポイントとによって干渉され、
前記方法は、
前記ＣｏＭＰ測定セットの外部にある少なくとも一つの外部ＢＳ／ポイントから前記ＵＥへの第一の干渉を見積もることと、
前記ＣｏＭＰ測定セット内部の少なくとも一つの干渉ＢＳ／ポイントから前記ＵＥへの第二の干渉を見積もることと、
前記第一の干渉と前記第二の干渉とに基づいてターゲットＣＱＩを取得することとを含む方法。
【０１１７】
（付記２）
前記ＣｏＭＰ測定セットの外部にある少なくとも一つの外部ＢＳ／ポイントから前記ＵＥへの第一の干渉を見積もることは、
前記供給ＢＳ／ポイントから前記ＵＥへのチャネルのチャネル情報を測定することと、
前記ＣｏＭＰ測定セット内部のＢＳ／ポイントから前記ＵＥへのチャネルの質を示すＣＱＩを獲得することと、
前記測定されたチャネル情報と前記獲得されたＣＱＩとに基づいて前記第一の干渉を見積もることを含む
付記１に記載の方法。
【０１１８】
（付記３）
前記ＣｏＭＰ測定セットの外部にある少なくとも一つの外部ＢＳ／ポイントから前記ＵＥへの第一の干渉を見積もることは、
前記供給ＢＳ／ポイントから前記ＵＥへのチャネルのチャネル情報を測定することと、
前記ＣｏＭＰ測定セット内部の前記少なくとも一つの干渉ＢＳ／ポイントに属する参照ＢＳ／ポイントから前記ＵＥへのチャネルの質を示すＣＱＩを獲得することと、
前記参照ＢＳ／ポイントの前記ＵＥへの送信電力と、前記供給ＢＳ／ポイントの前記ＵＥへの送信電力と、前記参照ＢＳ／ポイントの前記ＵＥへの伝送路損失と、前記供給ＢＳ／ポイントの前記ＵＥへの伝送路損失とを獲得することと、
前記測定されたチャネル情報と、前記獲得されたＣＱＩと、前記参照ＢＳ／ポイントの前記ＵＥへの前記送信電力と、前記供給ＢＳ／ポイントの前記ＵＥへの前記送信電力と、前記参照ＢＳ／ポイントの前記ＵＥへの前記伝送路損失と、前記供給ＢＳ／ポイントの前記ＵＥへの前記伝送路損失とに基づいて前記第一の干渉を見積もることとを含む
付記１に記載の方法。
【０１１９】
（付記４）
前記供給ＢＳ／ポイントから前記ＵＥへのチャネルのチャネル情報を測定することは、
前記ＵＥからアップリンクサウンディング参照信号を受信することと、
前記アップリンクサウンディング参照信号に基づいて前記チャネル情報を測定することとを含む
付記２または付記３に記載の方法。
【０１２０】
（付記５）
前記ＣｏＭＰ測定セット内部の少なくとも一つの干渉ＢＳ／ポイントから前記ＵＥへの第二の干渉を見積もることは、
前記少なくとも一つの干渉ＢＳ／ポイントから前記ＵＥへの通信のビームフォーミングマトリクスを獲得することと、
前記ＣｏＭＰ測定セット内部のＢＳ／ポイントの前記ＵＥへの送信電力と、前記ＣｏＭＰ測定セット内部の前記ＢＳ／ポイントの前記ＵＥへの伝送路損失と、前記少なくとも一つの干渉ＢＳ／ポイントから前記ＵＥへのチャネルのチャネル情報とを獲得することと、
前記ＣｏＭＰ測定セット内部の前記ＢＳ／ポイントの前記ＵＥへの前記送信電力と、前記ＣｏＭＰ測定セット内部の前記ＢＳ／ポイントの前記ＵＥへの前記伝送路損失と、前記獲得されたビームフォーミングマトリクスと前記獲得されたチャネル情報とに基づいて前記第二の干渉を見積もることとを含む
付記１に記載の方法。
【０１２１】
（付記６）
前記第一の干渉と前記第二の干渉とに基づいてターゲットＣＱＩを取得することは、
前記供給ＢＳ／ポイントから前記ＵＥへのビームフォーミングゲインを計算することと、
前記第一の干渉と、前記第二の干渉と、前記ビームフォーミングゲインとによって、前記供給ＢＳ／ポイントから前記ＵＥへのチャネルの質を計算することと、
前記計算された質に基づいて前記ターゲットＣＱＩを取得することとを含む
付記１に記載の方法。
【０１２２】
（付記７）
前記第一の干渉と、前記第二の干渉と、前記ビームフォーミングゲインとによって前記供給ＢＳ／ポイントから前記ＵＥへのチャネルの質を計算することは、
前記少なくとも一つの干渉ＢＳによる前記ＵＥのスケジューリングに基づいて前記第二の干渉を更新することと、
前記第一の干渉と、前記更新された第二の干渉と、前記ビームフォーミングゲインとによって、前記供給ＢＳ／ポイントから前記ＵＥへのチャネルの質を計算することとを含む
付記６に記載の方法。
【０１２３】
（付記８）
前記少なくとも一つの干渉ＢＳによる前記ＵＥのスケジューリングに基づいて前記第二の干渉を更新することは、
前記少なくとも一つの干渉ＢＳによる前記ＵＥのスケジューリングの情報を含むスケジューリング結果を取得することと、
前記スケジューリング結果に基づいて前記少なくとも一つの干渉ＢＳ／ポイントから前記ＵＥへの通信のビームフォーミングマトリクスを獲得することと、
前記獲得されたビームフォーミングマトリクスと、前記少なくとも一つの干渉ＢＳ／ポイントから前記ＵＥへのチャネルのチャネル情報と、前記ＣｏＭＰ測定セット内部のＢＳ／ポイントの前記ＵＥへの送信電力と、前記ＣｏＭＰ測定セット内部の前記ＢＳ／ポイントの前記ＵＥへの伝送路損失とに基づいて第三の干渉を見積もることと、
前記第三の干渉で前記第二の干渉を更新することとを含む
付記７に記載の方法。
【０１２４】
（付記９）
通信システムでチャネル品質表示（ＣＱＩ）を取得するための装置であって、
前記通信システムは、ユーザ機器（ＵＥ）と、一以上の基地局（ＢＳ）／ポイントを含む多地点協調（ＣｏＭＰ）測定セットと、前記ＣｏＭＰ測定セットの外部にある一以上の外部ＢＳ／ポイントとを含み、
前記ＵＥは、前記ＣｏＭＰ測定セット内部の供給ＢＳ／ポイントにより供給され、前記ＣｏＭＰ測定セット内部の少なくとも一つの干渉ＢＳ／ポイントと前記一以上の外部ＢＳ／ポイントとによって干渉され、
前記装置は、
前記ＣｏＭＰ測定セットの外部にある少なくとも一つの外部ＢＳ／ポイントから前記ＵＥへの第一の干渉を見積もるために構成された第一の見積り部と、
前記ＣｏＭＰ測定セット内部の少なくとも一つの干渉ＢＳ／ポイントから前記ＵＥへの第二の干渉を見積もるために構成された第二の見積り部と、
前記第一の干渉と前記第二の干渉とに基づいてターゲットＣＱＩを取得するために構成された取得部とを含む装置。
【０１２５】
（付記１０）
前記第一の見積り部は、
前記供給ＢＳ／ポイントから前記ＵＥへのチャネルのチャネル情報を測定するために構成された第一の測定手段と、
前記ＣｏＭＰ測定セット内部のＢＳ／ポイントから前記ＵＥへのチャネルの質を示すＣＱＩを獲得するために構成された第一の獲得手段と、
前記測定されたチャネル情報と前記獲得されたＣＱＩとに基づいて前記第一の干渉を見積もるために構成された第一の見積り手段とを含む
付記９に記載の装置。
【０１２６】
（付記１１）
前記第一の見積り部は、
前記供給ＢＳ／ポイントから前記ＵＥへのチャネルのチャネル情報を測定するために構成された第三の測定手段と、
前記ＣｏＭＰ測定セット内部の前記少なくとも一つの干渉ＢＳ／ポイントに属する参照ＢＳ／ポイントから前記ＵＥへのチャネルの質を示すＣＱＩを獲得するために構成された第二の獲得手段と、
前記参照ＢＳ／ポイントの前記ＵＥへの送信電力と、前記供給ＢＳ／ポイントの前記ＵＥへの送信電力と、前記参照ＢＳ／ポイントの前記ＵＥへの伝送路損失と、前記供給ＢＳ／ポイントの前記ＵＥへの伝送路損失とを獲得するために構成された第三の獲得手段と、
前記測定されたチャネル情報と、前記獲得されたＣＱＩと、前記参照ＢＳ／ポイントの前記ＵＥへの前記送信電力と、前記供給ＢＳ／ポイントの前記ＵＥへの前記送信電力と、前記参照ＢＳ／ポイントの前記ＵＥへの前記伝送路損失と、前記供給ＢＳ／ポイントの前記ＵＥへの前記伝送路損失とに基づいて前記第一の干渉を見積もるために構成された第二の見積り手段とを含む
付記９に記載の装置。
【０１２７】
（付記１２）
前記第一の測定手段または前記第三の測定手段は、
前記ＵＥからアップリンクサウンディング参照信号を受信するために構成された受信手段と、
前記アップリンクサウンディング参照信号に基づいて前記チャネル情報を測定するために構成された第二の測定手段とを含む
付記１０または付記１１に記載の装置。
【０１２８】
（付記１３）
前記第二の見積り部は、
前記少なくとも一つの干渉ＢＳ／ポイントから前記ＵＥへの通信のビームフォーミングマトリクスを獲得するために構成された第四の獲得手段と、
前記ＣｏＭＰ測定セット内部のＢＳ／ポイントの前記ＵＥへの送信電力と、前記ＣｏＭＰ測定セット内部のＢＳ／ポイントの前記ＵＥへの伝送路損失と、前記少なくとも一つの干渉ＢＳ／ポイントから前記ＵＥへのチャネルのチャネル情報とを獲得するために構成された第五の獲得手段と、
前記ＣｏＭＰ測定セット内部の前記ＢＳ／ポイントの前記ＵＥへの前記送信電力と、前記ＣｏＭＰ測定セット内部の前記ＢＳ／ポイントの前記ＵＥへの前記伝送路損失と、前記獲得されたビームフォーミングマトリクスと前記獲得されたチャネル情報とに基づいて前記第二の干渉を見積もるために構成された第三の見積り手段とを含む
付記９に記載の装置。
【０１２９】
（付記１４）
前記取得部は、
前記供給ＢＳ／ポイントから前記ＵＥへのビームフォーミングゲインを計算するために構成された第一の計算手段と、
前記第一の干渉と、前記第二の干渉と、前記ビームフォーミングゲインとによって、前記供給ＢＳ／ポイントから前記ＵＥへのチャネルの質を計算するために構成された第二の計算手段と、
前記計算された質に基づいて前記ターゲットＣＱＩを取得するために構成された第一の取得手段とを含む
付記９に記載の装置。
【０１３０】
（付記１５）
前記第二の計算手段は、
前記少なくとも一つの干渉ＢＳによる前記ＵＥのスケジューリングに基づいて前記第二の干渉を更新するために構成された第一の更新手段と、
前記第一の干渉と、前記更新された第二の干渉と、前記ビームフォーミングゲインとによって、前記供給ＢＳ／ポイントから前記ＵＥへのチャネルの質を計算するために構成された第三の計算手段とを含む
付記１４に記載の装置。
【０１３１】
（付記１６）
前記第一の更新手段は、
前記少なくとも一つの干渉ＢＳによる前記ＵＥのスケジューリングの情報を含むスケジューリング結果を取得するために構成された第二の取得手段と、
前記スケジューリング結果に基づいて前記少なくとも一つの干渉ＢＳ／ポイントから前記ＵＥへの通信のビームフォーミングマトリクスを獲得するために構成された第六の獲得手段と、
前記獲得されたビームフォーミングマトリクスと、前記少なくとも一つの干渉ＢＳ／ポイントから前記ＵＥへのチャネルのチャネル情報と、前記ＣｏＭＰ測定セット内部のＢＳ／ポイントの前記ＵＥへの送信電力と、前記ＣｏＭＰ測定セット内部の前記ＢＳ／ポイントの前記ＵＥへの伝送路損失とに基づいて第三の干渉を見積もるために構成された第四の見積り手段と、
前記第三の干渉で前記第二の干渉を更新するために構成された第二の更新手段とを含む
付記１５に記載の装置。
【図１】
0005855286.tif 000010
【図２】
0005855286.tif 000011
【図３】
0005855286.tif 000012
【図４】
0005855286.tif 000013
【図５】
0005855286.tif 000014
【図６】
0005855286.tif 000015
【図７】
0005855286.tif 000016
【図８】
0005855286.tif 000017